(57)【要約】      （修正有）【課題】棚板を物の置き場所として有効に利用できる組立式棚を提供する。【解決手段】物品を支持する支持面３４を有する第１棚部１２と、第１棚部に取り付け及び取り外しが可能であり、第１棚部に取り付けられて第１棚部を支持する複数の脚部１１と、第１棚部に設けられ、かつ、複数の脚部に接触されて、複数の脚部の第１支持部１６を支持面以下の高さにそれぞれ保持する保持機構２４と、を有する。本考案の組立式棚によれば、複数の脚部の先端が棚板の支持面以下の高さにそれぞれ保持されるため、棚板を物の置き場所として有効に利用できる。【選択図】図３
0003233484.tif 000002
【実用新案登録請求の範囲】
【請求項１】
物品を支持する支持面を有する棚部と、
前記棚部に取り付け及び取り外しが可能であり、前記棚部に取り付けられて前記棚部を支持する複数の脚部と、
前記棚部に設けられ、かつ、前記複数の脚部に接触されて、前記複数の脚部の先端を前記支持面以下の高さにそれぞれ保持する保持機構と、
を有する、組立式棚。
【請求項２】
請求項１記載の組立式棚において、
前記棚部は、
棒形状の連結体と、
前記連結体に取り付けられ、かつ、前記連結体の長手方向に隙間をおいて配置される複数の棚板と、
を有し、
前記複数の脚部の先端が、それぞれ前記隙間に配置され、
前記複数の脚部は、
２本の支柱と、
前記２本の支柱を接続する接続部と、
をそれぞれ有し、
前記保持機構は、前記複数の棚板に蝶番によって作動可能に取り付けられたストッパを有し、
前記ストッパが前記接続部に接触する、組立式棚。
【請求項３】
請求項２記載の組立式棚において、
前記保持機構は、前記ストッパに取り付けられ、かつ、前記ストッパを前記蝶番によって作動させるハンドルを有する、組立式棚。
【考案の詳細な説明】
【技術分野】
【０００１】
本考案は、折り畳み及び組み立てが可能な組立式棚に関する。
【背景技術】
【０００２】
折り畳み及び組み立てが可能な組立式棚の一例が、特許文献１に記載されている。特許文献１に記載された組立式棚は、複数の棚板と、両端を互いに平行な傾斜端面とした四枚の細長い板状脚部材と、二枚の板状脚部材間に配設される複数の棚板受け部材と、板状脚部材と棚板受け部材とを結合する複数の木製ダボと、Ｌ形金具の一つの面に円柱状ピンを突設した複数のＬ形押え金具とを有している。
【０００３】
特許文献１に記載された組立式棚は、棚板受け部材の上端面が、板状脚部材の傾斜端面に略平行となるように上記二枚の板状脚部材間に取付けられる。また、棚板受け部材の取付位置近傍の板状脚部材箇所に、Ｌ形押え金具を回動自在に枢着して構成した一対のハシゴ状脚部部材をハの字状若しくは逆ハの字状に配設している。そして、各棚板を各棚板受け部材で支承すると共に、その棚板上面を回動自在に枢着したＬ形押え金具によって面状に押さえている。
【先行技術文献】
【特許文献】
【０００４】
【特許文献１】実用新案登録第３０５８２５７号公報
【考案の概要】
【考案が解決しようとする課題】
【０００５】
本願考案者は、特許文献１に記載された組立式棚の棚板において、板状脚部材の上端が棚板の上面から突出するため、棚板の上面に置く物の大きさ及び形状が制約を受け、棚板を物の置き場所として有効に利用できない、という課題を認識した。
【０００６】
本考案の目的は、棚板を物の置き場所として有効に利用できる組立式棚を提供することにある。
【課題を解決するための手段】
【０００７】
本考案の組立式棚は、物品を支持する支持面を有する棚部と、前記棚部に取り付け及び取り外しが可能であり、前記棚部に取り付けられて前記棚部を支持する複数の脚部と、前記棚部に設けられ、かつ、前記複数の脚部に接触されて、前記複数の脚部の先端を前記支持面以下の高さにそれぞれ保持する保持機構と、を有する。
【考案の効果】
【０００８】
本考案の組立式棚によれば、複数の脚部の先端が棚板の支持面以下の高さにそれぞれ保持されるため、棚板を物の置き場所として有効に利用できる。
【図面の簡単な説明】
【０００９】
【図１】（Ａ）は、組立式棚の分解状態を示す斜視図、（Ｂ）は、本考案の組立式棚が組み立てられた状態の斜視図である。
【図２】組立式棚が組み立てられた状態の正面図である。
【図３】組立式棚が組み立てられた状態の右側面図である。
【図４】組立式棚を図２のIV−IV線に沿って破断した底面図である。
【図５】（Ａ）は、図２の部分的な拡大図、（Ｂ）は、ハンドルの他の構成を示す図である。
【考案を実施するための形態】
【００１０】
以下、本考案の組立式棚の実施形態を図面に基づいて説明する。なお、組立式棚を説明するための全図において、同一部には原則として同一の符号を付し、その繰り返しの説明は省略する。
【００１１】
図１（Ａ），（Ｂ）、図２及び図３に示す組立式棚１０は、アウトドア、キャンプ場、室内等、何れの場所でも用いることが可能である。組立式棚１０は、２つの脚部１１、第１棚部１２及び第２棚部１３を有する。組立式棚１０は、２つの脚部１１、第１棚部１２及び第２棚部１３を図１のように組み立てた状態と、２つの脚部１１、第１棚部１２及び第２棚部１３を図２のように分解した状態と、に形態を変更することが可能である。
【００１２】
２つの脚部１１の端部２１が使用場所２０に接触され、かつ、２つの脚部１１が立てられた状態で組立式棚１０が置かれる。２つの脚部１１は、第１棚部１２及び第２棚部１３に載せられる物品（荷物）Ｂ１の荷重を受ける要素であり、共に金属製である。金属材料は、例えば、鋼、鉄、ステンレス、アルミニウム等のうちの何れでもよい。２つの脚部１１は、共に第１支柱１４、第２支柱１５、第１接続部１６、第２接続部１７及び第３接続部１８を有する。第１支柱１４及び第２支柱１５は、共に棒形状、または、軸形状を有する。第１接続部１６、第２接続部１７及び第３接続部１８は、共に棒形状、または、軸形状を有する。第１支柱１４、第２支柱１５、第１接続部１６、第２接続部１７及び第３接続部１８の幅方向の断面における外周形状は、円形、楕円形、多角形等のうちの何れでもよい。
【００１３】
第１接続部１６、第２接続部１７及び第３接続部１８は、それぞれ長手方向の両端が、第１支柱１４及び第２支柱１５にそれぞれ接続されている。具体的には、溶接または半田付けにより固定されている。第２接続部１７は、第１接続部１６より長く、第２接続部１７は、第３接続部１８より短い。第２接続部１７は、第１接続部１６と第３接続部１８との間に設けられている。第１接続部１６、第２接続部１７及び第３接続部１８は、互いに平行に設けられ、第１支柱１４と第２支柱１５とは、非平行に設けられている。第１接続部１６と第２接続部１７との間の間隔Ｌ１は、第２接続部１７と第３接続部１８と間の間隔Ｌ２より狭い。第１支柱１４の長手方向において、第１接続部１６とは反対に位置する端部２１は、使用場所２０に接触される。第２支柱１５の長手方向において、第１接続部１６とは反対に位置する端部２１は、使用場所２０に接触される。
【００１４】
第１棚部１２は、載せられる物品Ｂ１を支持する要素である。第１棚部１２は、複数、例えば、５枚の棚板２２と、２本の連結体（連結桟）２３と、を有する。５枚の棚板２２、２本の連結体２３は、それぞれ集成材、無垢材、合板の何れでもよい。集成材は、ゴム集成材、ナラ集成材、ウォールナット集成材等の何れでもよい。無垢材の材質は、スギ、ヒノキ、ナラ、桐等の何れでもよい。合板は、ラワン、ナラ、ブナ等の何れでもよい。また、２本の連結体２３は、５枚の棚板２２を固定する要素である。２本の連結体２３は、幅方向の断面における外周形状が略四角形である。２本の連結体２３は、棒形状であり、図４のように平行に設けられている。
【００１５】
５枚の棚板２２は、２本の連結体２３に対して固定手段、例えば、釘、ねじ、接着剤、木組み等により固定されている。５枚の棚板２２は、２本の連結体２３の長手方向に所定の間隔をおいてそれぞれ設けられ、かつ、５枚の棚板２２は、互いに平行に配置されている。５枚の棚板２２は、図５（Ａ）のように厚さＴ１が全て同一である。さらに、棚板２２同士は、隙間３３をおいて設けられている。隙間３３の間隔Ｌ３は、第１接続部１６の外径（直径）Ｒ１より大きく、厚さＴ１は、外径Ｒ１以上である。なお、第１棚部１２として、市販されているスノコを用いることも可能である。
【００１６】
図２及び図４のように、第１棚部１２には、２組の保持機構２４が設けられている。２組の保持機構２４は、２つの脚部１１と第１棚部１２とが組み立てられた状態を保持するために設けられている。保持機構２４は、蝶番２５によって棚板２２の下面に取り付けられたストッパ（プレート）２６と、ストッパ２６に取り付けられたハンドル（レバー）２７と、を有する。
【００１７】
蝶番２５及びストッパ２６は金属製、例えば、例えば、鋼、鉄、ステンレス、アルミニウム等で構成されている。ストッパ２６は、連結体２３の長手方向に沿って設けられた長尺体である。蝶番２５は複数、例えば２個設けられており、蝶番２５によって棚板２２とストッパ２６とが接続されている。ストッパ２６は、幅方向の曲げ剛性が高く、かつ、耐久性が高い。このため、ストッパ２６に幅方向の荷重が加わっても、ストッパ２６は塑性変形し難い。
【００１８】
ストッパ２６は、蝶番２５の支点２８を中心として所定角度、例えば、９０度の範囲内で作動可能である。ストッパ２６が、図２の左側、及び図４の右側に示すように閉じられると、ストッパ２６は棚板２２に最も接近する。閉じられた状態におけるストッパ２６の平面形状は、図４のように略長尺形状である。図４のように、ストッパ２６の幅Ｌ４は、幅Ｌ１と略同じである。幅Ｌ１は、ストッパ２６のうち、蝶番２５に固定された固定端２９から、蝶番２５から最も離れた自由端３０までの長さである。自由端３０は、ストッパ２６の直線状の側縁である。
【００１９】
閉じられた状態におけるストッパ２６と、棚板２２の下面とは、図２に二点鎖線で示すように略平行である。ストッパ２６が、図２に実線で示すように開かれると、ストッパ２６は連結体２３に最も接近する。開かれた状態にあるストッパ２６は、棚板２２の下面に対して略垂直である。ハンドル２７は、例えば金属製であり、ハンドル２７はストッパ２６に溶接固定されている。このように、ストッパ２６は、可倒式である。ハンドル２７はストッパ２６の長辺から、ストッパ２６の幅方向に突出されている。
【００２０】
第２棚部１３は、載せられる物品を支持する要素である。第２棚部１３は、複数、例えば、３枚の棚板３１と、２本の連結体（連結桟）３２と、を有する。棚板３１は、棚板２２と同様の材質で構成され、連結体３２は、連結体２３と同様の材質で構成されている。また、３枚の棚板３１は連結体３２に対して固定手段、例えば、釘、ねじ、接着剤、木組み等により固定されている。２本の連結体３２は棒形状であり、かつ、互いに平行である。３枚の棚板３１は、互いに間隔をおいて設けられている。なお、第２棚部１３として、市販されているスノコを用いることも可能である。
【００２１】
次に、組立式棚１０の組み立てる例を説明する。まず、２組の保持機構２４のストッパ２６を共に閉じた状態で停止させ、図１（Ａ）に示すように、第１棚部１２を２つの脚部１１に接近させ、かつ、２つの脚部１１の第１接続部１６と第２接続部１７との間へ、それぞれ進入させる。
【００２２】
そして、２つの脚部１１の第１接続部１６を、連結体２３の長手方向で両端に位置する隙間３３へ、図５（Ａ）のように進入させる。さらに、図２に二点鎖線で示す初期位置で停止しているハンドル２７を、蝶番２５によって棚板２２から離れるように作動させると、ストッパ２６が連結体２３に接触してハンドル２７を実線で示す作動位置で停止する。このようにして、２組の保持機構２４のハンドル２７を共に作動位置で停止させる。ハンドル２７が作動位置で停止すると、ストッパ２６が閉じられた状態になる。ストッパ２６が閉じられた状態であると、ストッパ２６の自由端３０が第２接続部１７に押し付けられ、その反力で連結体２３が第１接続部１６へ押し付けられる。ストッパ２６の自由端３０が第２接続部１７に押し付けられていると、ストッパ２６の幅方向の長さ（寸法）は、棚板２２と第２接続部１７との間の距離と略同じである。
【００２３】
このため、ストッパ２６と第２接続部１７との接触（干渉）箇所の摩擦力、連結体２３と第１接続部１６との接触箇所の摩擦力により、第１棚部１２と、２つの脚部１１とが、図１（Ａ）に示す第１方向（Ｙ軸）Ａ１及び第２方向（Ｘ軸）Ａ２において位置決め固定される。また、第１接続部１６と棚板２２とが接触することで、第１接続部１６と第１棚部１２とが、図５（Ａ）に示す間隔ｌ３と外径Ｒ１との差の範囲内で、第１方向Ａ１に位置決めされる。さらに、ストッパ２６と第２接続部１７との係合力、及び連結体２３と第１接続部１６との係合力により、第１接続部１６と第１棚部１２とが、図１（Ａ）及び図３のように、第３方向（Ｚ軸）Ａ３で位置決めされる。
【００２４】
第１方向Ａ１は、第１接続部１６及び第２接続部１７の長手方向に沿った方向である。また、図４のように、第１方向Ａ１は、２つの脚部１１を間隔をおいて並べた方向、及び連結体２３の長手方向に対して、略９０度の方向である。第２方向Ａ２は、図１（Ａ）及び図４のように、２つの脚部１１を間隔をおいて並べた方向、及び連結体２３の長手方向である。第３方向Ａ３は、第１棚部１２の厚さ方向（高さ方向）である。
【００２５】
さらに、第２棚部１３を、２つの脚部１１の第２接続部１７と第３接続部１８との間へそれぞれ進入させる。そして、２本の連結体３２を第３接続部１８と第３接続部１８との間へ進入させ、かつ、３枚の棚板３１を図１（Ａ）のように第３接続部１８の上に載せると、組立式棚１０の組み立てが完了する。２つの連結体３２同士の最長距離は、２本の第１接続部１６がそれぞれ位置する２つの隙間３３の最短距離よりも大きい。
【００２６】
このため、２本の脚部１１の間隔は、図３のように、第１接続部１６から端部２１に近づくことに伴い拡大されている。つまり、２本の脚部１１同士は、「八の字」形状になる。組み立てられた組立式棚１０は、図２及び図３のように、脚部１１の端部２１が使用場所２０へ接触した状態で置かれ、物品Ｂ１が第１棚部１２及び第２棚部１３へ載せられる。なお、組立式棚１０の脚部１１の端部２１が使用場所２０に接触して置かれた状態で、第１棚部１２は、第２棚部１３より上に位置する。
【００２７】
本実施形態の組立式棚１０の保持機構２４は、第１接続部１６の上端を、棚板２２の支持面３４以下の位置（高さ）に保持する。つまり、第１接続部１６は、支持面３４から上に突出されていない。全ての支持面３４が同一平面上に位置し、平坦面を形成している。言い換えると、隙間３３が第１接続部１６の逃げ場所としての役割を果たしている。したがって、棚板２２の支持面３４に置く物品Ｂ１の大きさ及び形状が制約を受けず、第１棚部１２を物品Ｂ１の置き場所として有効に利用できる。
【００２８】
また、第１棚部１２と２つの脚部１１とが、図１（Ａ）に示す第１方向Ａ１、第２方向Ａ２及び第３方向Ａ３の全てにおいて位置決め固定、つまり、ロックされる。このため、組み立てられている組立式棚１０を移動させる場合に、２つの脚部１１が動くことを防止でき、２つの脚部１１を手で押さえずに済む。したがって、組立式棚１０を移動させる作業を、１人でも行うことができる。また、組立式棚１０は、構造がシンプルであり、ねじ、またはボルトを使わずに組み立てた状態を保持できるため、使い勝手が良い。
【００２９】
組立式棚１０を使用しない場合は、ハンドル２７を手で掴み、ハンドル２７を操作する。すると、ストッパ２６が蝶番２５によって作動し、ストッパ２６の自由端３０が第２接続部１７から離れる。したがって、第１棚部１２及び２つの脚部１１に対する第１方向Ａ１、第２方向Ａ２及び第３方向Ａ３の固定力が解除される。そして、第１棚部１２を第１接続部１６と第２接続部１７との間から抜き出し、第２棚部１３を第２接続部１７と第３接続部１８との間から抜き出すと、組立式棚１０は、図１（Ｂ）のように分解された状態になる。
【００３０】
図５（Ｂ）は、ハンドル２７の他の構成例を示す図であるハンドル２７は、ストッパ２６に対して支持軸３５を中心として作動可能、つまり、折り畳み可能に取り付けられている。このため、ハンドル２７は、連結体２３の長手方向に沿って開閉可能であり、ハンドル２７が連結体２３の下端から突出される突出量を増減できる。ハンドル２７を二点鎖線のように折り畳むと、第１棚部１２と第２棚部１３との間の空間が広くなる。したがって、ハンドル２７に邪魔されることなく、物品Ｂ１を第２棚部１３へ置くことができる。本実施形態で説明した事項の技術的意味の一例は、次の通りである。第１接続部１６は、「脚部の先端」の一例である。第１支柱１４及び第２支柱１５は、２本の支柱の一例である。
【００３１】
本実施形態の組立式棚は、図面を用いて開示されたものに限定されるものではなく、その要旨を逸脱しない範囲で種々変更可能である。例えば、組立式棚１０の脚部１１の端部２１が使用場所２０に接触して置かれた状態で、第１棚部よりも上に、他の棚部が設けられていてもよい。つまり、上下方向（高さ方向）における棚部の段数（数）は、２段に限らず、１段でもよいし、３段以上でもよい。第１棚部は、複数段の棚のうち、最下段に設けられていてもよい。
【００３２】
また、上棚板は複数または単数の何れでもよい。この場合、単数の棚板の上面に溝が設けられ、溝に第１接続部が配置される。また、棚板は複数または単数の何れでもよい。さらに、上棚板及び棚板の材質は、木製性、金属製、合成樹脂製のうちの何れでもよい。上棚板が固定される連結体、棚板が固定される連結体の材質は、木材製、金属製、合成樹脂製のうちの何れでもよい。これらの要素の材質は、物品の重量、組み立て式棚を使用する環境等によって変更または選択可能である。
【産業上の利用可能性】
【００３３】
本考案の組立式は、室内、屋外、キャンプ場等、場所を問わずに折り畳み及び組み立てて、物品を置くために利用可能である。
【符号の説明】
【００３４】
１０…組立式棚、１１…脚部、１２…第１棚部、１３…第２棚部、１４…第１支柱、１５…第２支柱、１６…第１接続部、１７…第２接続部、１８…第３接続部、２２…棚板、２３，３２…連結体、２４…保持機構、２５…蝶番、２６…ストッパ、２７…ハンドル、３３…隙間、３４…支持面
【図１】
0003233484.tif 000003
【図２】
0003233484.tif 000004
【図３】
0003233484.tif 000005
【図４】
0003233484.tif 000006
【図５】
0003233484.tif 000007